(57)【要約】【課題】二輪車の収納籠に入れられたカバン等のひったくり事件が頻繁に起こっている。これらを防止する従来の技術は利便性に欠けるもので、さまざまな形状や材質の収納籠や収容具に対応できないものであった。【解決手段】バンドの一端に固定部、他端に係着具７を備えたものにおいて、係着具７はつまみ片４ａ．４ｂと挟持片５ａ．５ｂとからなるクリップ片６ａ．６ｂと、このクリップ片６ａ．６ｂを対向配置したとき前記挟持片５ａ．５ｂの各先端部が常時圧接方向に弾付勢するスプリング８と、から構成し、係着具７は前記挟持片５ａ．５ｂの各先端部に係合突部９ａ．９ｂを設け、この係合突部は一対の挟持片５ａ．５ｂによって形成された空間１０内に位置させている。係着具７に籠内のカバン等の持ち手を係着し、バンドの固定部を二輪車の一部に固定する。【選択図】図１
2006103649.tif 000002
【特許請求の範囲】
【請求項１】
二輪車に取り付けた収納籠の一部、あるいは二輪車の車体の一部に掛け回して固定する固定部を設けた可撓性バンドの他端に、前記収納籠に入れられたカバン等の収容具に係着する係着具を備えたものにおいて、前記係着具は、つまみ片と挟持片とからなるクリップ片と、このクリップ片を２個対向配置したとき前記挟持片の各先端部が常時圧接方向に弾付勢するスプリングと、から構成し、さらに前記係着具は、前記挟持片の各先端部に係合突部を設け、この係合突部を一対の挟持片によって形成された空間内に位置させたことを特徴とする二輪車の収納籠用ひったくり防止具。
【請求項２】
前記固定部は、面ファスナーで構成したことを特徴とする請求項１に記載の二輪車の収納籠用ひったくり防止具。
【発明の詳細な説明】
【技術分野】
【０００１】  本発明は、二輪車又は三輪車（以下二輪車と三輪車まとめて二輪車と称す）に取り付けられている収納籠に入れられたカバン等のひったくり防止を図った二輪車の収納籠用ひったくり防止具に関するものである。
【背景技術】
【０００２】  近年、二輪車に取り付けられた収納籠に入れられたカバン等のひったくり事件が頻繁に起こっている。これらを防止する手段として、収納籠の上方開口部をネット状網で覆うことや、収納籠に開閉自在な蓋を取付けるといった手段が用いられる。
また、二輪車の車体一部あるいは籠縁と、収納籠に入れたカバン等を連結するひったくり防止具もある。（例えば、実用新案文献１参照）【０００３】以下、実用新案文献１に示す従来の二輪車取付け籠用ひったくり防止具について説明する。なす環４の開閉杆３は、なす環４の内側に動作し、フック１により係止する仕組みである。このため開閉杆３は、フック１より外側に位置することはなく、掛止したバッグ等の持ち手を外す際、開閉杆３が取外しの妨げとなり外しにくい。【０００４】その他、二輪車の収納籠にネット状網を張る、開閉自在な蓋を取付ける、といった手段が用いられるが、いずれも二輪車の収納籠の容量に収まる大きさの物しか対応できず、多種多様なカバン等の収容具に対応できない。
さらに、二輪車の収納籠の形状や材質はさまざまで、ネット状網や蓋の取付けが容易ではない二輪車の収納籠も多く存在する。【０００５】
【実用新案文献１】
実開平６−１２２８５号公報
【発明の開示】
【発明が解決しようとする課題】
【０００６】  以上に述べた二輪車取付け籠用ひったくり防止具ではいずれも利便性に欠けたものであったり、さまざまな形状や材質の収納籠や収容具に対応できないものであった。【０００７】  本発明は、このような従来の構成が有していた問題を解決しようとするものであり、簡単、便利、ひったくり防止効果を実現することを目的とするものである。
【問題を解決するための手段】
【０００８】  本発明のひったくり防止具は、二輪車に取り付けた収納籠の一部、あるいは二輪車の車体の一部に掛け回して固定する固定部を設けた可撓性バンドの他端に、前記収納籠に入れられたカバン等の収容具に係着する係着具を備えたものにおいて、前記係着具は、つまみ片と挟持片とからなるクリップ片と、このクリップ片を２個対向配置したとき前記挟持片の各先端部が常時圧接方向に弾付勢するスプリングと、から構成し、さらに前記係着具は、前記挟持片の各先端部に係合突部を設け、この係合突部を一対の挟持片によって形成された空間内に位置させたことを特徴とするものである。
【０００９】  また本発明は、固定部においては、面ファスナーで構成したことを特徴とするものである。
【発明の効果】
【００１０】  上述したように本発明の二輪車収納籠用ひったくり防止具は、二輪車に取り付けた収納籠の一部、あるいは二輪車の車体の一部と、収納籠に入れられたカバン等の収容具とが連結され、係着具のつまみ部を操作するか、二輪車の一部に固定したバンドを意図的に取外さない限り、籠内の収容具を持ち去ることができない。
二輪車のひったくり事件においては、走行中の二輪車を追い越す際、籠内に入れたカバン等を奪い取るといった行為がなされる。このような際、カバン等を持ち去ろうと強く引いた場合、係着具の空間に位置した係合突部にカバン等の持ち手が引っ掛かる。これにより係着具の開閉口へカバン等の持ち手が侵入することや、開閉口の開放を防ぐことができる。収納籠内のカバン等を持ち去ることが不可能であるため、ひったくり防止効果をもたらすものである。
【００１１】  さらに係着具はつまみ式であり、片手で簡単に開閉操作できるので、カバン等との係着が容易で使いやすい。
【００１２】  また、本発明のひったくり防止具を使用していることにより、防犯対策をアピールでき、ひったくり犯のひったくり意欲を未然に抑止する効果をもたらす。
【発明を実施するための最良の形態】
【００１３】  以下、本発明の実施の形態を図１と図２に基づいて説明する。【００１４】  図において１はバンドで、一端に二輪車に取り付けた収納籠の一部、あるいは二輪車の車体の一部に掛け回して固定する固定部を設け、他端に前記収納籠に入れられたカバン等の収容具に係着する係着具を備えたものにおいて、前記固定部は面ファスナー３で構成し、前記係着具７は、つまみ片４ａ．４ｂと挟持片５ａ．５ｂとからなるクリップ片６ａ．６ｂと、このクリップ片６ａ．６ｂを対向配置したとき、前記挟持片５ａ．５ｂの各先端部が常時圧接方向に弾付勢するスプリング８と、から構成し、さらに前記係着具７は、前記挟持片５ａ．５ｂの各先端部に係合突部９ａ．９ｂを設け、この係合突部９ａ．９ｂを一対の挟持片５ａ．５ｂによって形成された空間１０内に位置させている。バンド１と固定部の連結および二輪車への固定手段として角環２を用いる。面ファスナー３は、片面に接着面（ループ面）を設けたものから構成してある。中央に一本棒を設けた角環２の中央棒にバンド１の一端を掛け回し係止する。バンド１の他端を前記係着具７のスプリング８に掛け回し係止する。【００１５】  以下、上記構成の動作を説明する。面ファスナー３を二輪車のハンドルＨに掛け回し、角環２を介して折り返し装着固定する。係着具７のつまみ片４ａ．４ｂをつまみ、バネ力に抗して開閉口１１を開く。二輪車の収納籠Ｋに入れられたカバンＢの持ち手Ｔを挟持片５ａ．５ｂにより形成された空間１０に収まるようバネ力に任せて開閉口１１を閉じる。カバンＢの持ち手Ｔを係合突部９ａ．９ｂと挟持片５ａ．５ｂの間に掛ける。係合突部９ａ．９ｂにより容易にカバンＢの持ち手Ｔが抜け落ちず、カバンＢを持ち去ろうと強く引いた場合でも持ち手Ｔが引っ掛かり、開閉口１１から離脱しない。【００１６】  前記実施例ではハンドルＨに掛け回して固定したが、これに限らず車体のシャフトＳや収納籠Ｋの籠縁に掛け回して固定してもよい。さらに、固定部は面ファスナーの他にホックや鳩目、アジャスターなどを用いてもよい。【００１７】  図３〜図９は本発明の他の実施形態を示したものであり、いずれも二輪車の収納籠に入れられたカバン等を固持する効果を発揮する。以上のように、本発明の実施形態によれば二輪車のひったくり防止効果が得られるものである。
【図面の簡単な説明】
【００１８】
【図１】    本発明の実施形態を示す二輪車収納籠用ひったくり防止具の斜視図
【図２】    本発明の使用状態を示す側面図
【図３】    本発明の係着具の第２実施形態を示す斜視図
【図４】    図３の係着具を開いた状態を示す斜視図
【図５】    本発明の係着具の第３実施形態を示す斜視図
【図６】    本発明の係着具の第４実施形態を示す斜視図
【図７】    本発明のバンド部の第２実施形態を示す斜視図
【図８】    本発明のバンド部の第３実施形態を示す斜視図
【図９】    本発明のバンド部の第４実施形態を示す斜視図
【符号の説明】
【００１９】１              バンド
２              角環
３              面ファスナー
４ａ．４ｂ      つまみ部
５ａ．５ｂ      挟持片
６ａ．６ｂ      クリップ片
７              係着具
８              スプリング
９ａ．９ｂ      係合突部
１０            空間
１１            開閉口
Ｂ              カバン
Ｔ              持ち手
Ｈ              ハンドル
Ｓ              シャフト
Ｋ              収納籠
【図１】
2006103649.tif 000003
【図２】
2006103649.tif 000004
【図３】
2006103649.tif 000005
【図４】
2006103649.tif 000006
【図５】
2006103649.tif 000007
【図６】
2006103649.tif 000008
【図７】
2006103649.tif 000009
【図８】
2006103649.tif 000010
【図９】
2006103649.tif 000011